(57)【要約】【課題】  ＣＣＤなどの撮像素子を用いたデジタルカメラに最適な結像性能の良い小型で低コストのレンズシステムを提供する。【解決手段】  物体側８から順に負の屈折力の第１のレンズ群Ｇ１と、正の屈折力の第２のレンズ群Ｇ２と、正の屈折力の第３のレンズ群Ｇ３とにより構成されるレンズシステム１において、第２のレンズ群Ｇ２の焦点距離ｆ２と、第３のレンズ群Ｇ３の焦点距離ｆ３と、第２のレンズ群Ｇ２の最も物体側のレンズＬ２１の物体側８の面の曲率半径Ｒｍとが次の式（Ａ）および（Ｂ）を満たすように構成する。      ０．３０＜  Ｒｍ/ｆ２  ＜０．４５    ・・・（Ａ）      ０．８＜  ｆ２/ｆ３  ＜１．２        ・・・（Ｂ）  これにより、非球面レンズを用いなくても諸収差の値が１０枚構成のレンズシステム以上の良好な結果が得られるンズシステムを提供できる。【選択図】        図２
2005049778.tif 000002
【特許請求の範囲】
【請求項１】
物体側から順に負の屈折力の第１のレンズ群と、正の屈折力の第２のレンズ群と、正の屈折力の第３のレンズ群とにより構成されるレンズシステムであって、
前記第２のレンズ群の焦点距離ｆ２と、前記第３のレンズ群の焦点距離ｆ３と、前記第２のレンズ群の最も物体側のレンズの物体側の面の曲率半径Ｒｍとが次の式を満たすレンズシステム。
０．３０＜Ｒｍ／ｆ２＜０．４５
０．８  ＜ｆ２／ｆ３＜１．２
【請求項２】
請求項１において、広角端から望遠端へ変倍する際に、前記第１および第２のレンズ群の空気間隔が減少し、前記第２および第３のレンズ群の空気間隔が増加するズーミングが可能なレンズシステム。
【請求項３】
請求項１において、前記第１のレンズ群は、物体側から順に、物体側に凸の負のメニスカスレンズと、負レンズと、正レンズとの３枚構成であり、
前記第２のレンズ群は、物体側から順に、正レンズと、負レンズと、正レンズとの３枚構成であり、
前記第３のレンズ群は、正レンズの１枚構成であるレンズシステム。
【請求項４】
請求項２において、前記第１のレンズ群の負レンズと正レンズとは、接合レンズをなしているレンズシステム。
【請求項５】
請求項１ないし４のいずれかに記載のレンズシステムと、
このレンズシステムの像側に配置された撮像素子とを有するカメラ。
【発明の詳細な説明】
【技術分野】
【０００１】
本発明は、ＣＣＤなどの撮像素子に被写体像を結像するのに適したレンズシステムに関するものである。
【背景技術】
【０００２】
デジタルカメラなどの小型軽量化の要求に伴って、小型の撮像用ズームレンズが提供されている。従来のズームレンズは、例えば、特開平４−２１７２１９号公報に開示されているように、収差を補正するために２群のパワーを大きくしている。
【特許文献１】特開平４−２１７２１９号公報
【発明の開示】
【発明が解決しようとする課題】
【０００３】
特開平４−２１７２１９号公報には、物体の側から順に屈折率が負の第１群、正の第２群、正の第３群を有し、第１群、第２群を移動させて変倍を行うズームレンズが開示されている。ＣＣＤなどの撮像素子により像を記録するデジタルスチルカメラ（デジタルカメラ）の場合、ダイナミックレンジが狭く、しかも静止画であるので、ビデオカメラレンズや銀塩写真レンズに比べてＣＣＤの特性に合わせて射出瞳位置を像面から十分遠方にした設計を行い、像側をテレセントリックまたはそれに近い特性にすることが好ましい。像側をテレセントリックにするためには、特開平４−２１７２１９号公報に記載されている負−正−正というレトロフォーカスタイプの構成が適している。特開平４−２１７２１９号公報に記載されているレンズシステムは、十分な結像性能は確保しているものの構成枚数が１０枚と多く、レンズシステムの全長が長い。また、テレセントリック性が十分でない。十分なテレセントリック性を得るために、射出瞳位置を像面から十分遠方にした設計を行う必要があり、そのためには、第１群の負のパワーを十分に大きくし、第２群の正のパワーを小さくする必要があるが、第１群の負のパワーを大きくしすぎると歪曲が補正できなくなり、第２群の正のパワーが小さすぎると変倍作用が小さくなってレンズ長が長くなり、さらに第２群による収差補正が不十分になってしまうからである。したがって、第１群のパワーをある程度に抑え、第２群のパワーも確保し、さらに、収差補正のために多数のレンズを配置するという構成から逃れられない設計になっている。また、そのような制限された条件で設計しているために、テレセントリック性が不十分で、コンパクトでもなく、デジタルカメラに最適な性能のレンズシステムを提供することができない。
【０００４】
非球面レンズを採用することにより、レンズ枚数を減らして、収差を改善できる可能性がある。非球面レンズは、ガラスモールドレンズ、ハイブリッドレンズ、プラスチックレンズと幾つかの種類があるが、面精度、偏芯等の誤差が小さいものでないと所望の性能を得ることができず、高精度の非球面レンズは高価でありレンズ枚数を減らしても製造コストを削減できない。また、比較的低コストのプラスチック系のレンズであると温度依存性が大きく均一な性能を確保できにくいという問題もある。さらに、レンズ自体の精度の影響、温度などの環境の影響およびレンズシステムの組み立て精度の影響などが複雑に絡み合うために、非球面レンズを採用したレンズシステムでは、設計上の性能を実際に得ることが難しい。
【０００５】
そこで、本発明は、非球面レンズを用いなくても、少ない枚数のレンズの組み合わせにより収差性能の良いズームレンズを提供することを目的としている。
【課題を解決するための手段】
【０００６】
上述したように、負−正−正というレトロフォーカスタイプのレンズシステムにおいて、十分なテレセントリック性を得るためには、第１のレンズ群の負のパワーを十分に大きくし、第２のレンズ群の正のパワーを小さくする必要があるが、負のパワーの大きな第１のレンズ群に面する第２のレンズ群の最も物体側の面は曲率が十分に大きく、曲率半径が十分に小さくないと、負のパワーの大きな第１のレンズ群により発生する収差の補正ができない。しかしながら、第２のレンズ群の物体側の最初のレンズ面の曲率半径Ｒｍを大きくすると、第２のレンズ群の他のレンズのパワーを上げる必要があり、第２のレンズ群の中でバランスが崩れて収差補正ができなくなるという問題がある。
【０００７】
一方、ズームレンズでは、第２のレンズ群の最も物体側のレンズの曲率半径Ｒｍが大き過ぎると、この面で発生する球面収差量が少なく、その他の面で発生する球面収差を補正できない。また、第２のレンズ群のパワーが小さ過ぎると、第１のレンズ群で発生する収差だけではなく、第３のレンズ群で発生する収差の補正も難しくなり、さらに、変倍作用が小さくなってレンズ長が長くなり過ぎるという問題もある。また、第２のレンズ群の最初のレンズ面の曲率半径Ｒｍが小さ過ぎると、過度な球面収差が発生し、その他の面で補正できずに残存してしまうという問題がある。しかしながら、第２のレンズ群のパワーがある程度ないと、レンズシステム全体の収差を十分には補正できないので、最初のレンズ面の曲率半径Ｒｍはある程度は小さくならざるを得ない。
【０００８】
本願の発明者は、このような第２のレンズ群のパワーと第２のレンズ群の最も物体側の面の曲率半径との間にある問題を指摘すると共に、第２のレンズ群のパワーと第２のレンズ群の最も物体側の面の曲率半径との関係を最適にして上記の幾つかの問題に対して共通の解を与えることにより、少ない枚数のレンズ構成により、非球面レンズを必ずしも採用しなくても十分な収差性能を備えたレンズシステム、さらには、ズームレンズシステムを提供できることを見出し、本願において、その関係を明確にした。
【０００９】
本発明のレンズシステムは、物体側から順に負の屈折力の第１のレンズ群と、正の屈折力の第２のレンズ群と、正の屈折力の第３のレンズ群とにより構成され、第２のレンズ群の焦点距離ｆ２と、第３のレンズ群の焦点距離ｆ３と、第２のレンズ群の最も物体側のレンズの物体側の面の曲率半径Ｒｍとが次の式（Ａ）および（Ｂ）を満たすものである。
【００１０】
０．３０＜  Ｒｍ／ｆ２  ＜０．４５    ・・・（Ａ）
０．８  ＜  ｆ２／ｆ３  ＜１．２      ・・・（Ｂ）
本発明のレンズシステムは、第２のレンズ群と第３のレンズ群とのレンズのパワーがほぼ等しくいレンズシステムであり、これにより第２のレンズ群の収差補正の負荷を減らすことができる。第２のレンズ群の収差補正の負荷を減らすことにより、第２のレンズ群の焦点距離ｆ２と第２のレンズ群の最も物体側のレンズ面の曲率半径Ｒｍの関係の良好な範囲は比較的広くなるが、（Ａ）式の下限を超えると最も物体側のレンズ面で発生した収差を他のレンズで補正しきれなくなり、（Ａ）式の上限を超えると最も物体側のレンズ面で発生する収差が小さすぎて他のレンズで発生する収差を補正しきれなくなる。
【００１１】
第２のレンズ群のパワーを適切に設定し、さらに、第２のレンズ群の最も物体側の面の曲率半径を第２のレンズ群のパワーに対して適切な範囲とすることにより、以下の実施の形態で示すように７枚程度のレンズ構成で、さらに、非球面レンズを用いなくても良好に収差が補正されたレンズシステムを提供できる。これは非球面レンズを使用したレンズシステムを本発明から排除することを意味しないが、非球面レンズを使用しない少ないレンズ枚数のレンズシステムにより実用上十分な結像性能を得ることができるので、非球面レンズを使用する積極的な理由がなくなり、低コストで収差が良好に補正され、安定した結像性能を持ったレンズシステムが得られる。
【００１２】
さらに、本発明のレンズシステムは、ズームレンズとしても十分な結像性能を備えており、広角端から望遠端へ変倍する際に、第１および第２のレンズ群の空気間隔が減少し、第２および第３のレンズ群の空気間隔が増加するズームレンズとして提供することができる。
【００１３】
本発明のレンズシステムのさらに具体的な形態の１つは、物体側から順に、物体側に凸の負のメニスカスレンズと、負レンズと、正レンズとの３枚構成の第１のレンズ群と、物体側から順に、正レンズと、負レンズと、正レンズとの３枚構成の第２のレンズ群と、正レンズの１枚構成の第３のレンズ群とを備えたレンズシステムである。７枚のレンズ枚数で、コンパクトで高性能のレンズシステムを提供できる。したがって、本発明のレンズシステムと、このレンズシステムの像側に配置された撮像素子とを有するデジタルカメラにおいては、コンパクトで低コストのレンズシステムと高解像度のＣＣＤとを組み合わせることが可能となり、鮮明な画像を得ることができる。
【００１４】
また、第１のレンズ群の負レンズと正レンズとは、１組の接合レンズとなるようにしても良い。接合レンズを採用することで、レンズ間の空気間隔をなくし、第１のレンズ群を組み立てる際の構成要素を減ずることができるので、部品精度や組み立て精度の影響を排除することができ、さらにコンパクトで結像性能の良いレンズシステムを低コストで提供できる。
【発明の効果】
【００１５】
以上に説明したように、本発明では、負−正−正という、ＣＣＤなどの撮像素子を用いたデジタルカメラ用に良好なテレセントリック性を備えたレンズシステムにおいて、第２のレンズ群のパワーと第２のレンズ群の最も物体側のレンズ面の曲率半径との関係に着目し、それらの関係を上記の式（Ａ）および（Ｂ）を満たすようにすることで、非球面レンズを用いなくても７枚という少ないレンズ枚数で十分な収差性能を備えたレンズシステムを提供できることを明らかにしている。したがって、本発明のレンズシステムを用いることにより、さらにコンパクトで高い結像性能を備えたデジタルカメラを低コストで提供することが可能となる。
【発明を実施するための最良の形態】
【００１６】
(実施例１)
図１に本発明のレンズシステム１を備えたデジタルカメラ１０を示し、図２にレンズシステム１の具体的な構成を示してある。デジタルカメラ１０は、レンズシステム１の像側に配置されたＣＣＤ１１を備えており、レンズシステム１によりＣＣＤ１１に結像された物体の画像情報をデジタル信号に変換し、適当な記録媒体に記録したり、インターネットなどのコンピュータネットワークを介して提供することができる。本例のレンズシステム１は、ズームレンズとして機能し、図２（ａ）に広角端（短焦点距離端）のレンズ配置を示し、図２（ｂ）に望遠端（長焦点距離端）のレンズ配置を示してある。本例のレンズシステム１は、物体側８からＣＣＤ１１の焦点面が配置された像側９に向かって順番に３つのレンズ群Ｇ１、Ｇ２およびＧ３にグループ分けされた７枚のレンズにより構成されている。
【００１７】
最も物体側８に位置する第１のレンズ群Ｇ１は、全体として負の屈折力を備えており、物体側８から順に、物体側８に凸の負のメニスカスレンズＬ１１と、両凹の負レンズＬ１２と、両突の正レンズＬ１３との３枚のレンズにより構成されている。負のレンズＬ１２と正のレンズＬ１３は、接合レンズとして構成されている。
【００１８】
第２のレンズ群Ｇ２は、全体として正の屈折力を備えており、物体側８から順に、両凸の正レンズＬ２１と、両凹の負レンズＬ２２と、像側９に両凸の正レンズＬ２３により構成されている。第２のレンズ群Ｇ２の物体側８には、第２のレンズ群Ｇ２と共に移動する絞りＳが設けられている。
【００１９】
最も像側９の第３のレンズ群Ｇ３は、全体として正の屈折力を備えており、１枚の両凸の正レンズＬ３１で構成されている。この第３のレンズ群Ｇ３は、広角端から望遠端への変倍中は移動せず、第１のレンズ群Ｇ１と第２のレンズ群Ｇ２は、それらの間隔ｄ５が減少するように移動し、第２のレンズ群は第３のレンズ群の間隔ｄ１２が増大するように移動する。
【００２０】
以下に示すレンズデータにおいて、Ｎｏは物体側８から順番に並んだレンズ面の番号、Ｒｉは物体側から順番に並んだ各レンズの曲率半径（ｍｍ）、Ｄｉは物体側から順番に並んだ各レンズ面の間の距離（ｍｍ）、ｎｄは物体側から順番に並んだ各レンズの屈折率（ｄ線）、νｄは物体側から順番に並んだ各レンズのアッベ数（ｄ線）を示す。距離Ｄ１は、第１のレンズ群Ｇ１と、第２のレンズ群Ｇ２との間隔（ｍｍ）を示し、距離Ｄ２は、第２のレンズ群Ｇ２と、第３のレンズ群Ｇ３との間隔（ｍｍ）を示す。また、Ｆｌａｔは平面であることを示す。以下の実施例においても同様である。
【００２１】
レンズデータ（Ｎｏ．１）
No.        Ri         Di        nd           vd
1       22.753      1.20      1.83400     37.34      レンズＬ１１
2        8.014      3.10 
3      -30.623      1.00      1.63854     55.45      レンズＬ１２
4        8.321      4.20      1.83400     37.34      レンズＬ１３
5      -87.838      d5（可変）
6        Flat       0.50                             絞りＳ
7        5.355(Rm)  2.60      1.74330     49.22      レンズＬ２１
8      -26.306      1.80
9       -4.124      1.00      1.84666     23.78      レンズＬ２２
10        8.249      0.60 
11     -165.952      1.80      1.74330     49.22      レンズＬ２３
12       -5.217      d12（可変）
13       21.791      2.30      1.78590     43.93      レンズＬ３１
14      -20.078
変倍中の値は次の通りである。
ズーム状態                  広角端        中間          望遠端
焦点距離ｆ（mm）             4.98          7.04          9.96
バックフォーカス長ｆｂ（mm） 5.00          5.00          5.00
距離ｄ５（mm）              18.40          8.48          1.50
距離ｄ１２（mm）             1.50          3.81          7.12
第１のレンズ群Ｇ１の焦点距離ｆ１（ｍｍ）：−２１．０５
第２のレンズ群Ｇ２の焦点距離ｆ２（ｍｍ）：１３．７４
第３のレンズ群Ｇ３の焦点距離ｆ３（ｍｍ）：１３．６３
Ｒｍ／ｆ２＝０．３９
ｆ２／ｆ３＝１．０１
これらより、本例のレンズシステム１は、物体側８より負−正−正のレトロフォーカスタイプのレンズシステムであり、さらに、上記の式（Ａ）および（Ｂ）の条件を満たす構成となっている。すなわち、第２のレンズ群Ｇ２と第３のレンズ群Ｇ３とのパワーがほぼ等しく、第２のレンズ群Ｇ２の焦点距離ｆ２に対する、第２のレンズ群Ｇ２のもっとも物体側８のレンズＬ４の物体側のレンズ面の曲率半径Ｒ７（Ｒｍ）が収差補正に最も適した範囲となっている。また、ズーム比が２のズームレンズとして機能し、全体が７枚構成の広角端における全長が４５．０ｍｍとコンパクトなズームレンズとなっている。
【００２２】
図３には、このレンズシステム１の広角端（ａ）、望遠端（ｃ）および中間（ｂ）における球面収差、非点収差および歪曲収差を示してある。球面収差は、６５６．２８ｎｍ（破線）、５８７．５６ｎｍ（実線）および４８６．１３ｎｍ（一点鎖線）の各波長における値を示している。これらの図からわかるように、本例のレンズシステム１の球面収差は、広角端から望遠端にわたり、±０．０３ｍｍあるいはそれ以下範囲に十分に収まっており、７枚構成のレンズシステム１で、非球面レンズを用いていないにも関わらず、従来の１０枚構成のレンズよりも優れた収差性能を示している。
【００２３】
したがって、本例のレンズシステム１は、第１、第２および第３のレンズ群がそれぞれ負−正−正のパワーを備えたレトロフォーカスタイプのズームレンズであり、像側のテレセントリック性が高く、さらに、非球面レンズを用いずに全体が７枚構成というコンパクトな構成で収差が非常に良好に補正されたレンズシステムとなっている。このため、本例のレンズシステム１は、高性能のコンパクトで低コストなズームレンズシステムであり、高解像度のＣＣＤ１１とともにデジタルカメラ１０を構成することにより高解像度のＣＣＤ１１の性能を十分に活かし、コンパクトで高解像度の鮮明な画像を取得可能なデジタルカメラを提供できる。
【００２４】
(実施例２)
図４（ａ）に、本発明の異なるレンズシステム１の広角端のレンズ配置を示し、図４（ｂ）に望遠端のレンズ配置を示してある。本例のレンズシステム１も、物体側８から像側９に向かって負の屈折力の第１のレンズ群Ｇ１、正の屈折力の第２のレンズ群Ｇ２、および第３のレンズ群Ｇ３が並んだレンズシステムである。また、各々のレンズ群を構成するレンズの構成も上記の実施例１と同じ構成であり、第１のレンズ群Ｇ１がレンズＬ１１〜Ｌ１３で構成され、第２のレンズ群Ｇ２がレンズＬ２１〜Ｌ２３で構成され、第３のレンズ群Ｇ３がレンズＬ３１で構成されており、レンズシステム１は全体が７枚のレンズにより構成されている。以下に、本実施例２のレンズデータを示す。
【００２５】
レンズデータ（Ｎｏ．２）
No.        Ri         Di        nd           vd
1      27.972      1.10      1.83400      37.34      レンズＬ１１
2       9.027      3.20
3     -27.410      1.00      1.62280      56.91      レンズＬ１２
4       9.523      3.80      1.83400      37.34      レンズＬ１３
5     -66.517      d5（可変）
6      Flat        0.50                              絞りＳ
7       4.989      2.50(Rm)  1.74330      49.22      レンズＬ２１
8     -26.736      1.40
9      -4.851      1.00      1.80518      25.46      レンズＬ２２
10       5.714      0.80
11      25.864      1.70      1.74330      49.22      レンズＬ２３
12      -7.044      d12（可変）
13      27.223      2.20      1.74330      49.22      レンズＬ３１
14     -16.557
変倍中の値は次の通りである。
ズーム状態                  広角端        中間          望遠端
焦点距離ｆ（mm）             5.11         7.23          10.22
バックフォーカス長ｆｂ（mm） 5.00         5.00           5.00
距離ｄ５（mm）              20.22         9.23           1.50
距離ｄ１２（mm）             1.57         3.64           6.57
第１のレンズ群Ｇ１の焦点距離ｆ１（ｍｍ）：−２３．０６
第２のレンズ群Ｇ２の焦点距離ｆ２（ｍｍ）：１３．６５
第３のレンズ群Ｇ３の焦点距離ｆ３（ｍｍ）：１４．１５
Ｒｍ／ｆ２＝０．３７
ｆ２／ｆ３＝０．９６
これらから分かるように、本例のレンズシステム１も、物体側８より負−正−正のパワーが配置されたレンズシステムであり、さらに、上記の式（Ａ）および（Ｂ）の条件を満たす構成となっている。このため、第２のレンズ群Ｇ２と第３のレンズ群Ｇ３のパワーがほぼ等しく、第２のレンズ群Ｇ２の焦点距離ｆ２に対する、第２のレンズ群Ｇ２のもっとも物体側８のレンズＬ４の物体側のレンズ面の曲率半径Ｒ７（Ｒｍ）が収差補正に最も適した範囲となっている。また、ズーム比が２のズームレンズとして機能し、全体が７枚構成の広角端における全長が４６．０ｍｍとコンパクトな明るいズームレンズとなっている。
【００２６】
図５に、このレンズシステム１の広角端（ａ）、望遠端（ｃ）および中間（ｂ）における球面収差、非点収差および歪曲収差を示してある。これらの図からわかるように、本例のレンズシステム１の球面収差も、広角端から望遠端にわたり、±０．０３ｍｍあるいはそれ以下範囲に十分に収まっており、７枚構成のレンズシステム１で、非球面レンズを用いていないにも関わらず、従来の１０枚構成のレンズよりも優れた収差性能を示している。したがって、本例のレンズシステム１も、像側のテレセントリック性が高く、ＣＣＤなどの撮像素子を用いたデジタルカメラに適したレンズシステムであり、さらに、非球面レンズを用いずに全体が７枚構成というコンパクトな構成で収差が非常に良好に補正されたレンズシステムとなっている。
【００２７】
(実施例３)
図６（ａ）に、本発明の異なる例のズームレンズシステム１の広角端のレンズ配置を示し、図６（ｂ）に望遠端のレンズ配置を示してある。本例のレンズシステム１も、物体側８から像側９に向かって負の屈折力の第１のレンズ群Ｇ１、正の屈折力の第２のレンズ群Ｇ２、および第３のレンズ群Ｇ３が並んだレンズシステムであり、また、各々のレンズ群を構成するレンズの構成も上記の実施例１と同じ構成である。したがって、本例のレンズシステム１も全体が７枚のレンズにより構成されている。以下に、本実施例３のレンズデータを示す。
【００２８】
レンズデータ（Ｎｏ．３）
No.        Ri        Di        nd           vd
1      25.221      1.10      1.83400      37.34      レンズＬ１１
2       9.438      2.80
3     -35.638      1.00      1.63854      55.45      レンズＬ１２
4       9.548      3.80      1.83400      37.34      レンズＬ１３
5    -100.053      d5（可変）
6       Flat       0.50                              絞りＳ
7       5.156      2.40      1.74330      49.22      レンズＬ２１
8    -127.076      1.80
9      -5.504      1.00      1.78472      25.72      レンズＬ２２
10       5.050      0.80
11      10.318      1.80      1.74330      49.22      レンズＬ２３
12      -9.167      d12（可変）
13      14.199      2.00      1.74330      49.22      レンズＬ３１
14     -62.250
変倍中の値は次の通りである。
ズーム状態                  広角端        中間          望遠端
焦点距離ｆ（mm）             5.90         8.34          11.80
バックフォーカス長ｆｂ（mm） 5.00         5.00           5.00
距離ｄ５（mm）              20.81         9.50           1.50
距離ｄ１２（mm）             2.18         4.40           7.57
第１のレンズ群Ｇ１の焦点距離ｆ１（ｍｍ）：−２５．５９
第２のレンズ群Ｇ２の焦点距離ｆ２（ｍｍ）：１４．４０
第３のレンズ群Ｇ３の焦点距離ｆ３（ｍｍ）：１５．７３
したがって、上記のレンズデータ（Ｎｏ３）のズームレンズ１では、
Ｒｍ／ｆ２＝０．３６
ｆ２／ｆ３＝０．９２
これらから分かるように、本例のレンズシステム１も、物体側８より負−正−正のパワーが配置され、さらに、上記の式（Ａ）および（Ｂ）の条件を満たす収差補正に適した構成となっている。また、ズーム比が２のズームレンズとして機能し、全体が７枚構成の広角端における全長が４７．０ｍｍとコンパクトなズームレンズとなっている。
【００２９】
図７に、このレンズシステム１の広角端（ａ）、望遠端（ｃ）および中間（ｂ）における球面収差、非点収差および歪曲収差を示してある。これらの図からわかるように、本例のレンズシステム１の球面収差も、広角端から望遠端にわたり、±０．０３ｍｍあるいはそれ以下範囲に十分に収まっており、７枚構成のレンズシステム１で、非球面レンズを用いていないにも関わらず、非常に優れた収差性能を示している。したがって、本例のレンズシステム１も、像側のテレセントリック性が高く、ＣＣＤなどの撮像素子を用いたデジタルカメラに適したレンズシステムである。そして、非球面レンズを用いずに全体が７枚構成というコンパクトで安価な構成でありながら、収差が非常に良好に補正されたレンズシステムである。
【００３０】
なお、上記では、本発明をズームレンズにより示しているが、ズーム範囲内のそれぞれの焦点距離における短焦点レンズとしても十分な結像性能を備えていることは上述した通りであり、非球面レンズを有しない簡易な構成の短焦点レンズとして使用することができる。また、これらのレンズシステムは、非球面レンズを用いなくても非常に良好な収差補正性能を備えているが、いずれかのレンズのいずれかの面を非球面化して、さらに収差補正能力を高めることも可能であり、上述した非球面のディメリットはあるものの、さらに結像性能が高いレンズシステムを提供でき、さらに高解像度の画像を取得することができるデジタルカメラを提供できる。また、本発明に係るレンズシステムは単独で使用されることが多いデジタルカメラだけではなく、ＰＤＡや携帯電話に組み込まれたカメラ、ロボットなどの自動制御装置における視覚となるカメラなど、様々な分野の製品に適用することができる。
【図面の簡単な説明】
【００３１】
【図１】本発明のレンズシステムを用いたデジタルカメラの概略構成を示す図である。
【図２】本発明のレンズシステムの構成を示す図であり、広角端（ａ）および望遠端（ｂ）の各状態におけるレンズの配置を示す図である。
【図３】図２のレンズの縦収差図であり、広角端（ａ）、中間（ｂ）および望遠端（ｃ）の各状態の収差を示す図である。
【図４】本発明のレンズシステムの異なる例を示す図であり、広角端（ａ）および望遠端（ｂ）の各状態におけるレンズの配置を示す図である。
【図５】図４のレンズの縦収差図であり、広角端（ａ）、中間（ｂ）および望遠端（ｃ）の各状態の収差を示す図である。
【図６】本発明のレンズシステムの異なる例を示す図であり、広角端（ａ）および望遠端（ｂ）の各状態におけるレンズの配置を示す図である。
【図７】図６のレンズの縦収差図であり、広角端（ａ）、中間（ｂ）および望遠端（ｃ）の各状態の収差を示す図である。
【符号の説明】
【００３２】
１    ズームレンズ
８    物体側
９    像側
【図１】
2005049778.tif 000003
【図２】
2005049778.tif 000004
【図３】
2005049778.tif 000005
【図４】
2005049778.tif 000006
【図５】
2005049778.tif 000007
【図６】
2005049778.tif 000008
【図７】
2005049778.tif 000009